(57)【要約】【課題】アナログビデオ信号による高画質な映像コンテンツがそのままディジタル記録・再生装置において違法に複写されてしまうことを防止する。【解決手段】著作権管理情報の付加装置では、入力アナログビデオ信号を輝度信号と色信号に分離し、フレーム中で輝度平均レベルが最低のブロックを検出し、その位置情報と著作権管理情報（CGMS-A）とを帰線期間内の所定位置に記録すると共に、該当ブロックに高輝度信号を含む補助信号を付加し、それらの処理を経た輝度信号を色信号と合成して出力させる。著作権管理情報の検出・処理装置では、著作権管理情報と補助信号の付加位置情報とを検出した後、付加位置情報が示すブロックから補助信号を検出し、各情報・信号の検出状態に応じて記録の許可／不許可を判定する。簡単な構成で耐性の強い著作権保護システムを構築できる。【選択図】図１
2005244859.tif 000002
【特許請求の範囲】
【請求項１】
アナログビデオ信号に対する著作権管理情報の付加装置において、
入力されるアナログビデオ信号から輝度信号を分離する信号分離手段と、
前記信号分離手段が分離した１フレーム分又は１フィールド分の輝度信号を、画面を分割する態様で複数のブロックに分割する信号分割手段と、
前記信号分割手段が分割した１フレーム分又は１フィールド分のブロックの中で輝度信号の平均的レベルが最低となるブロックを検出し、その検出したブロックの位置情報を求める位置情報算出手段と、
入力された著作権管理情報を記憶する記憶手段と、
高輝度信号を含んだ前記ブロックサイズの所定画像信号である補助信号を生成する補助信号生成手段と、
前記第１記憶手段の著作権管理情報と前記位置情報算出手段が求めたブロックの位置情報とを、前記信号分離手段が分離した輝度信号の帰線期間内の各所定位置にそれぞれ付加する情報付加手段と、
前記信号分離手段が分離した輝度信号における前記位置情報算出手段が求めたブロックの位置情報に対応する信号ブロックに対して、前記補助信号生成手段が生成する補助信号を付加する信号付加手段と、
前記信号分離手段がアナログビデオ信号から輝度信号を分離した後の信号に対して、フレーム同期又はフィールド同期をとって前記情報付加手段及び前記信号付加手段による処理が施された後の輝度信号を合成する信号合成手段と
を具備したことを特徴とする著作権管理情報の付加装置。
【請求項２】
前記請求項１に係る著作権管理情報の付加装置によって処理されたアナログビデオ信号に対応する著作権管理情報の検出・処理装置であって、
入力されるアナログビデオ信号から輝度信号を分離する信号分離手段と、
前記信号分離手段が分離した輝度信号の帰線期間内の各所定位置から著作権管理情報と補助信号の付加位置情報を検出する情報検出手段と、
前記情報検出手段が検出した補助信号の付加位置情報に基づいて、輝度信号の該当ブロックから補助信号を検出する補助信号検出手段と、
前記情報検出手段が検出した著作権管理情報が示す複製の可否情報、前記情報検出手段と前記補助信号検出手段による各情報の検出の有無、及び補助信号検出手段が検出した補助信号の状態に基づいて、入力された前記アナログビデオ信号の記録の許可／不許可を判定する判定手段と、
前記信号分離手段が分離した輝度信号について、常に１フレーム前又は１フィールド前の輝度信号を保持する信号保持手段と、
前記判定手段が記録の許可を判定した場合に、前記分離後の輝度信号における前記補助信号の付加位置情報に対応する信号ブロックを、前記信号保持手段が保持している対応した信号ブロックに置換する補助信号置換手段と、
前記信号分離手段がアナログビデオ信号から輝度信号を分離した後の信号に対して、フレーム同期又はフィールド同期をとって前記補助信号置換手段での処理が施された後の輝度信号を合成する信号合成手段と
を具備したことを特徴とする著作権管理情報の検出・処理装置。
【発明の詳細な説明】
【技術分野】
【０００１】
本発明は著作権管理情報の付加装置及び同情報の検出・処理装置に係り、特に、ディジタル記録・再生装置においてアナログ信号で入力される映像コンテンツの違法な複写（コピー又はダビング）を防止するための装置に関する。
【背景技術】
【０００２】
近年、ディジタル記録・再生装置の普及により、高品質な音楽や映像のコンテンツを手軽に楽しめるようになっているが、ディジタル・コンテンツでは劣化無く複製を行うことができるため、著作権保護の重要性が益々高まりつつある。
また、本格的なマルチメディア時代の到来を迎えて、著作権保護に関する法制の整備と共に、ディジタル・コンテンツの違法な複製を効果的に防止する技術が求められている。
【０００３】
そして、そのようディジタル化の潮流の中で、ディジタル信号に着目した複製防止策については様々な考案がなされているが、ディジタル記録・再生装置におけるアナログ入力でのコピーの防止については、アナログ信号がコピーの際に常に幾ばくかの劣化を伴うために、最近ではあまり省みられない傾向があった。
【０００４】
しかし、ディジタル記録・再生装置の発達に伴い、ディスプレイが高画質化すると共に、アナログ・ディジタル変換回路の高性能化が進むにつれて、アナログ入力を高画質のままディジタル信号に変換したり、記録されたディジタル信号を高品位なままでアナログ信号として出力することが可能になってきた。
即ち、それらの機器を利用してアナログ信号を経由する態様でコピーを行った場合、多少の劣化を伴っても、高品位なアナログ信号を介してディジタル信号のコピーの場合とほぼ同等の良質なコピーが得られることになる。
【０００５】
従って、最近では、コンテンツの創作者や著作権者等から、ディジタル記録・再生装置におけるアナログ入出力のコピー防止についての要望も強くなっている。
そして、その問題点についてみれば、従来から、アナログビデオ信号の記録・再生又は放送等で映像信号を提供する際に違法なコピーを防止する必要があったため、種々のコピー防止方法が提案されている。
【０００６】
例えば、下記特許文献１では、図１７の（Ａ）に示すように、ビデオ信号の帰線期間内に通常の輝度信号の振幅レベルを超える過大な振幅の輝度信号を印加して、記録・再生装置のＡＧＣ（自動利得調整）回路を誤動作させており、続く映像信号の振幅がＡＧＣ回路の誤動作により本来のレベルよりも低く振幅制御された状態で記録されるようにしている。
具体的には、ビデオ信号におけるＡＧＣ基準レベル検出区間に、通常のＡＧＣ基準レベルより大きなパルスを挿入して記録を行うものであり、図１７の（Ｂ）に示すように、垂直ブランキング期間の一部に擬似ＳＹＮＣパルスが挿入される。
同図における擬似ＳＹＮＣパルスでは、１Ｈにおけるバースト信号の後に、水平同期パルスにレベルｐを加えたレベルで５波分挿入されている。
ところで、家庭用のアナログ式ビデオテープレコーダでは、図１７の（Ｃ）に示すように、垂直ブランキング期間における１Ｈの水平同期パルスを利用してＡＧＣをかけるようにされた機種が多数存在する。
そのため、前記水平同期パルスよりも振幅の大きい擬似ＳＹＮＣパルスが基準となる区間に挿入されると、ＡＧＣ回路がその擬似ＳＹＮＣパルスの振幅を基準レベルと判断してＡＧＣがかけられ、その結果、ＡＧＣレベルがその擬似ＳＹＮＣパルスのレベルとして検出されるために本来のＳＹＮＣが検出できず、正常な画像が出力されなくなって違法なコピーを防止できることになる。
【０００７】
また、下記特許文献２においては、ビデオ信号の帰線期間内にＶＢＩＤと称される識別信号を付加する方式が規格化されていることを利用して、それらＶＢＩＤ信号にコピー防止（著作権保護）情報を重畳させる提案がなされている。
ＶＢＩＤは、70IREのリファレンス信号と振幅70IRE又は0IREで表示される２０ビットのディジタルデータであって、所定の１Ｈラインの有効映像部分に挿入されて識別信号として用いられる。
具体的には、図１８に示されるような構成からなる。
ビットNo.１〜２はワイドＩＤであり、No.１のビットは伝送アスペクト比［“０”の時は４：３，“１”の時は１６：９］を示し、No.２のビットは画面形式［“０”の時はノーマル表示，“１”の時はレターボックス表示］を示す。
ビットNo.３〜６はモードＩＤであり、“００００”の時に著作権に関する識別信号が伝送されることとされ、その場合には、ビットNo.７が“０”で「著作権無し」として、“１”で「著作権有り」としてそれぞれ規定されている。
また、ビットNo.８は、“０”で送られている画像データ又は音声データが「オリジナルである」として、“１”で「オリジナルではない（ダビングされたもの）」として規定されている。
即ち、ビットNo.７〜８を用いてＳＣＭＳ（Serial Copy Management System）情報が伝送されることになる。
尚、ビットNo.１５〜２０はＣＲＣＣ（Cyclic Redundancy Check Character）である。
このように、ＶＢＩＤ規格は本来ＴＶ信号のアスペクト比等の情報を伝送するものであるが、信号の付加や検出が簡便であることから著作権保護情報の伝送にも利用されている。
【０００８】
【特許文献１】特開昭６３−１０７２８１号公報
【特許文献２】特開２００２−３４４９０８号公報
【発明の開示】
【発明が解決しようとする課題】
【０００９】
前記特許文献１のコピー防止方法による場合、通常の映像信号の有効部分の表示に影響を与えない期間（ＶＢ：ビデオブランキング期間）内にコピー防止信号が挿入されることになるので、コンテンツとしての有効画像範囲に手を加えることなく、帰線期間に加えた信号を除去することが可能であり、印加させた過大振幅の輝度信号が除去されると実効性がなくなる。
また、前記特許文献２においても、ビデオ信号の帰線期間内のみを利用しているために、映像信号の有効部分の表示に影響を与えずに著作権保護情報を除去でき、前記特許文献１の場合と同様の問題点がある。
そして、前記２方式に精通した者がビデオ信号の帰線期間の所定区間に挿入されたコピー防止信号を除去又は置換するような装置を製造し、それらが「コピーガード除去装置」として販売されて、コンテンツの違法なコピーが頻繁に行われていることも事実である。
【００１０】
一方、それらの欠点を補うべく、最近ではコンテンツ自体に「ウォーターマーク」と称される著作権識別子を不可視状態で埋め込み、記録・再生時にその著作権識別子を検出して記録・再生を停止させるなどの再生制御を行う方法も提案されている。
コンテンツ自体に埋め込まれた「ウォーターマーク」は、媒体や伝送路を選ばず、アナログ・ディジタル何れの信号形式であっても埋め込まれた著作権識別子がコンテンツから取り除かれる危険性の少ない優れた方式である。
しかしながら、その基本はデータ拡散方式等の複雑なディジタルデータ処理が前提にあり、付加・再生時に複雑な処理を伴うので処理回路が大掛かりなものとなり、その実効性と機器への組み込みコストを勘案してあまり多く採用されていないのが現状である。
【００１１】
そこで、本発明は、上記の各問題点に鑑みて、ディジタル記録・再生装置においてアナログ信号で入力される映像コンテンツの違法なコピーを有効に防止するために、有効画面表示部分に対する所定画像ブロックの表示を含む著作権管理情報の付加及びその検出・処理を行う装置を提供することを目的として創作された。
【課題を解決するための手段】
【００１２】
第１の発明は、アナログビデオ信号に対する著作権管理情報の付加装置において、入力されるアナログビデオ信号から輝度信号を分離する信号分離手段と、前記信号分離手段が分離した１フレーム分又は１フィールド分の輝度信号を、画面を分割する態様で複数のブロックに分割する信号分割手段と、前記信号分割手段が分割した１フレーム分又は１フィールド分のブロックの中で輝度信号の平均的レベルが最低となるブロックを検出し、その検出したブロックの位置情報を求める位置情報算出手段と、入力された著作権管理情報を記憶する記憶手段と、高輝度信号を含んだ前記ブロックサイズの所定画像信号である補助信号を生成する補助信号生成手段と、前記第１記憶手段の著作権管理情報と前記位置情報算出手段が求めたブロックの位置情報とを、前記信号分離手段が分離した輝度信号の帰線期間内の各所定位置にそれぞれ付加する情報付加手段と、前記信号分離手段が分離した輝度信号における前記位置情報算出手段が求めたブロックの位置情報に対応する信号ブロックに対して、前記補助信号生成手段が生成する補助信号を付加する信号付加手段と、前記信号分離手段がアナログビデオ信号から輝度信号を分離した後の信号に対して、フレーム同期又はフィールド同期をとって前記情報付加手段及び前記信号付加手段による処理が施された後の輝度信号を合成する信号合成手段とを具備したことを特徴とする著作権管理情報の付加装置に係る。
【００１３】
この発明の装置では、アナログビデオ信号の帰線期間内に、著作権管理情報だけでなく、補助信号が付加される信号ブロックの位置情報も付加する。
そして、補助信号は高輝度信号を含んだ前記ブロックサイズの所定画像信号であり、１フレーム分又は１フィールド分のブロックの中で輝度信号の平均的レベルが最低となるブロックに対して重畳させる態様で付加される。
従って、そのブロックについては、本来のアナログビデオ信号の画像ではなく、コンテンツの正常な視聴の妨げとなるように、補助信号による高輝度信号を含む画像が表示され、且つそのブロックはアナログビデオ信号の内容によって時間的に位置が変化し、その変化する位置情報が前記のようにアナログビデオ信号の帰線期間内に記録されていることになる。
尚、この発明の装置による処理は、１フレーム毎又は１フィールド毎に常に行う必要はなく、数フレーム毎又は数フィールド毎に行えばよく、後述の第２の発明において補助信号を１フレーム前又は１フィールド前の該当ブロックの輝度信号に置き換える処理を行うことからみれば、後者のようにある程度間隔をおいて行う方が望ましい。
また、ブロックの輝度信号の平均的レベルを求める場合に、直接的に輝度レベルの平均値を求めてもよいが、輝度信号を一旦積分回路で積分処理して平滑化した上で平均値を求めることが望ましい。
【００１４】
第２の発明は、前記第１の発明に係る著作権管理情報の付加装置で処理されたアナログビデオ信号に対応する著作権管理情報の検出・処理装置であって、入力されるアナログビデオ信号から輝度信号を分離する信号分離手段と、前記信号分離手段が分離した輝度信号の帰線期間内の各所定位置から著作権管理情報と補助信号の付加位置情報を検出する情報検出手段と、前記情報検出手段が検出した補助信号の付加位置情報に基づいて、輝度信号の該当ブロックから補助信号を検出する補助信号検出手段と、前記情報検出手段が検出した著作権管理情報が示す複製の可否情報、前記情報検出手段と前記補助信号検出手段による各情報の検出の有無、及び補助信号検出手段が検出した補助信号の状態に基づいて、入力された前記アナログビデオ信号の記録の許可／不許可を判定する判定手段と、前記信号分離手段が分離した輝度信号について、常に１フレーム前又は１フィールド前の輝度信号を保持する信号保持手段と、前記判定手段が記録の許可を判定した場合に、前記分離後の輝度信号における前記補助信号の付加位置情報に対応する信号ブロックを、前記信号保持手段が保持している対応した信号ブロックに置換する補助信号置換手段と、前記信号分離手段がアナログビデオ信号から輝度信号を分離した後の信号に対して、フレーム同期又はフィールド同期をとって前記補助信号置換手段での処理が施された後の輝度信号を合成する信号合成手段とを具備したことを特徴とする著作権管理情報の検出・処理装置。
【００１５】
この発明の装置では、第１の発明の装置で付加された著作権管理情報と補助信号の付加位置情報を帰線期間から検出し、その補助信号の付加位置情報を用いて輝度信号の該当ブロックから補助信号を検出し、それらの情報に基づいてアナログビデオ信号の記録の許可／不許可が判定される。
また、記録許可の判定がなされた場合には、補助信号が付加されたブロックを１フレーム前又は１フィールド前の該当ブロックの画像信号に置換し、画像信号の相関の高さを利用して正常な視聴が可能な画像を記録する。
従って、第１の発明の装置で処理されたアナログビデオ信号は第２の発明の装置を用いなければ複写することも正常に再生することも不可能である。
もし、第２の発明の装置を用いない場合において、著作権管理情報を除去するだけでは保護状態を解除できず、もし著作権管理情報を除去しようとして同じく帰線期間内に記録されている補助信号の付加位置情報まで除去すると、補助信号を除去するための情報まで失うことになり、画像の正常な視聴を行えなくなる。
また、補助信号が付加される信号ブロックの位置は随時移動するため、補助信号の付加位置情報を得ることなく、これを逐一除去することは殆ど不可能である。
【発明の効果】
【００１６】
本発明の著作権管理情報の付加装置及び著作権管理情報の検出・処理装置は、以上の構成に基づいて、次のような効果を奏する。
アナログビデオ信号による高画質な映像コンテンツがそのままディジタル記録・再生装置において違法に複写されてしまうことについて、著作権の保護を図るために極めて耐性が強いシステムを提供する。
また、信号分離手段や信号分割手段等の機能部分は既存のビデオ信号処理回路で実現でき、また複雑な信号処理も不要であることから機器への組み込みコストパフォーマンスにおいて優れている。
【発明を実施するための最良の形態】
【００１７】
以下、本発明の著作権管理情報の付加装置を実施例１として、また同情報の検出・処理装置を実施例２として、それぞれ図面を用いて詳細に説明する。
尚、各実施例ではＮＴＳＣ（National Television System Committee）信号方式（インタレース）のアナログビデオ信号を例にとる。
【実施例１】
【００１８】
先ず、図１はこの実施例に係る著作権管理情報の付加装置のブロック回路図である。
入力されたビデオ信号はＹ−Ｃ分離回路１により色信号と輝度信号に分離される。即ち、色信号と輝度信号の相関関係（例えば、ライン毎の色信号の位相差）を利用し、１Ｈディレイラインを用いたくし型フィルタで分離を行う。
分離された輝度信号はタイミング発生回路２に入力されるが、同回路２は図２に示すような回路構成からなる。
タイミング発生回路２では、クランプ・レベルスライス回路２１がビデオ信号の複合同期信号を検出し、垂直・水平同期分離回路２２で垂直同期信号と水平同期信号に分離して出力させると共に、ＰＬＬ（Phase-locked loop）回路２３が垂直同期信号と水平同期信号に基づいて水平同期信号の整数倍に相当する基準クロックを生成し、またゲート信号生成回路２４が垂直同期信号と水平同期信号と基準クロックに基づいて輝度信号を取り出すためのゲート信号を生成して出力させる。
更に、タイミング発生回路２では、位置更新タイミング回路２５が垂直同期信号と水平同期信号と基準クロックを用いて更新時間設定スイッチ２６から与えられたプリセット値に従って位置更新タイミング信号を出力させるようになっている。
【００１９】
カウンタ回路３は画面上の位置を算出するために垂直（Ｙ）方向及び水平（Ｘ）方向のカウンタを有しており、タイミング発生回路２から出力された垂直同期信号と水平同期信号と基準クロックに基づいて画面の垂直方向及び水平方向に同期したカウント値を出力させる。
ここで、このカウンタ回路３の動作について図３を参照しながら具体的に説明しておく。但し、実際には１２８カウント程度に分割されるのであるが、理解を容易にするために、水平方向に８分割、垂直方向に８分割×２フィールドをカウントするものとして説明する。
【００２０】
カウンタ回路３は第１フィールドの垂直同期信号によりリセットされてカウントを開始する。
Ｙカウンタは垂直方向の位置を分割するカウンタであり、垂直同期信号と基準クロックを用いて有効画面内をフィールドあたり縦８ブロックに分割したＹカウント値を出力する。
Ｘカウンタは水平方向の位置を分割するカウンタであり、１つの水平同期期間（１Ｈ）の有効画面内を水平同期信号と基準クロックを用いて横８ブロックに分割するようにＸカウント値を繰り返し出力する。
この実施例では上記のようにＮＴＳＣ方式（インタレース）であるため、Ｙカウント値は第１フィールドが０〜７、第２フィールドが８〜１５となり、そのカウント値によって１フレーム内の各フィールドが識別される。
そして、前記のＸカウント値とＹカウント値を組み合わせることで、ＮＴＳＣ信号の１フレーム中の２フィールド毎に、それぞれ８×８ブロックに分割されたビデオ信号上の位置（画面上の位置）が特定できることになる。
【００２１】
領域検出回路４では、Ｙ−Ｃ分離回路１で分離された輝度信号には同期信号も含まれているため、図４に示されるように、タイミング発生回路２から得られる輝度取り出しゲート信号を用いて同期信号を含まない輝度信号を取り出す。
そして、図５の（Ａ）に示すように、取り出された輝度信号は長い時定数を有する第１の積分回路（図示せず）へ入力され、その短時間の変動分が除去された信号となる。
更に、前記積分回路を経た後の信号は、カウンタ回路３のＹカウント値に基づいて各区間に分けて平均化され、その平均値と１カウント前の平均値とを比較することで輝度信号の最低値部分の変化を捉え、Ｙカウント値の更新毎にその動作を繰り返して実行することによって、フレーム内の輝度信号の内で垂直方向に関して平均的に輝度信号のレベルが最低で、且つその変化分も少ない部分を検出し、その情報を検出信号Ｓvとして出力する。尚、前記検出はフレーム単位で行われるため、最低値を求めるための演算データは第１フィールドの垂直同期信号によりリセットされる。
また、領域検出回路４では、図５の（Ｂ）に示すように、同期信号を除去した後の輝度信号を第２の積分回路（図示せず）へ入力し、カウンタ回路３のＸカウント値に基づいて各区間に分けて平均化し、各水平同期期間（１Ｈ）の内で輝度信号のレベルが最低で、且つその変化分も少ない部分を検出し、その情報を検出信号Ｓhとして出力する。
従って、２つの検出信号Ｓv,Ｓhの組み合わせによって、図６に示すように、８×８ブロック×２フィールド分の内で平均的に輝度レベルが低く、且つ変化分が少ない１つのブロックを検出できることになる。
【００２２】
次に、位置算出回路５では、タイミング発生回路２の位置更新タイミング信号、カウンタ回路３のＸカウント値とＹカウント値、及び領域検出回路４の検出信号Ｓv,Ｓhを用いて、後述する補助信号に係る付加位置情報と付加タイミング信号を出力させる。
即ち、タイミング発生回路２からの位置更新タイミング信号を受けると、領域検出回路４が出力している各検出信号Ｓv,Ｓhによって特定されるブロックの画面内位置情報を求めて補助信号の付加位置情報として出力させ、また、そのブロックに対して補助信号を付加するためのタイミングを与えるための信号を出力させる。
また、位置更新タイミング信号の出力周期は、タイミング発生回路２において更新時間設定スイッチ２６によるプリセット値で設定することができ、位置算出回路５による前記出力の周期はフレーム毎や１〜１０秒毎等のように任意に設定できる。
【００２３】
前記Ｙ−Ｃ分離回路１で分離された輝度信号はＶＢＩＤ付加回路６に入力されており、ＶＢＩＤ付加回路６は、予め入力されている著作権管理情報（ＣＧＭＳ−Ａ；Copy Generation Management System Analog）をカウンタ回路３のＸカウント値とＹカウント値を用いて輝度信号の帰線期間内の所定位置に付加する。
ここに、著作権管理情報は２ビットで記録されており、“１１”で「コピー禁止」を、“０１”で「１世代コピーでありそれ以上のコピー不可」を、“１０”で「１度だけコピー可能」を、“００”で「コピー可能」をそれぞれ示すようになっている。
また、ＶＢＩＤ付加回路６には位置算出回路５から補助信号の付加位置情報が入力されており、ＶＢＩＤ付加回路６ではその付加位置情報についても著作権管理情報と同様にビデオ信号の帰線期間内の所定位置に付加する。
具体的には、図７に示すように、著作権管理情報と補助信号の付加位置情報とが帰線期間内におけるＡＧＣ基準レベル検出区間に記録され、また、補助信号の付加位置情報については、図８に示すように、最初の４ビットで補助信号の有無を記録し、次の１６ビット分でＹカウント値とＸカウント値を記録するようになっている。
尚、それらの信号は、何れも従来技術の特許文献１による擬似ＳＹＮＣパルスの記録に準じた方式で記録される。
【００２４】
ＶＢＩＤ付加回路６での処理を経た輝度信号は次に補助信号付加回路７へ入力される。
補助信号付加回路７では、予め付加パターンＲＯＭ７aに格納されている補助信号を前記付加タイミング信号で示されるタイミングで画面内の該当ブロックに付加する。
例えば、図６で示したように、領域検出回路４で検出した画面内の最低輝度ブロックが（７，７）であった場合には、図９に示すように、キャラクタ（文字，図形，記号等）や幾何学模様（市松模様等）、又はそれらの組み合わせで構成された１ブロック分の輝度信号を補助信号として前記ブロック（７，７）の輝度信号に加算する。
また、この補助信号は、図９及び図１０に示すように、ブロック内の地色に相当する部分の輝度レベルは、コンテンツの正常な視聴の妨げとなるように、領域検出回路４で検出された輝度レベル平均値を遥かに上回る最大輝度レベルの信号とされる。
尚、図１の回路構成の場合には、補助信号の付加タイミング信号が１フレーム分前の輝度信号に基づいて検出されたものであり、その位置情報はタイミング的に１フレーム分遅れていることになるが、動画像の場合には一般的にフレーム間での相関が非常に高いために殆ど効果に影響しない。
【００２５】
このようにして、著作権管理情報と補助信号の付加位置情報と補助信号とが付加された後の輝度信号はＹ−Ｃ合成回路８へ出力され、Ｙ−Ｃ合成回路８において、Ｙ−Ｃ分離回路１が分離して遅延回路９で１フレーム期間遅延せしめられた色信号と合成され、最終的にビデオ信号として出力される。
ところで、前記領域検出回路４で検出される画面内の最低輝度ブロックは当然にビデオ信号の画像内容（各ブロックの輝度の時間的変化）によって位置が随時移動してゆくため、補助信号の付加位置もそれに対応して移動する。
即ち、図９に示した補助信号の画像ブロックがフレーム画像中を移動するような表示状態となるビデオ信号が出力されることになる。
そして、その画像ブロックはこの実施例の著作権管理情報の付加装置に対応した著作権管理情報の検出・処理装置によらなければ除去することができず、その結果、映像コンテンツの違法なコピーを有効に防止できることになる。
【実施例２】
【００２６】
この実施例は、実施例１の著作権管理情報の付加装置に対応した同情報の検出・処理装置に係り、そのブロック回路図は図１１に示される。
先ず、同図において、ビデオ信号はＹ−Ｃ分離回路５１に入力されるが、Ｙ−Ｃ分離回路５１とタイミング発生回路５２とカウンタ回路５３の基本的機能は実施例１におけるそれらの回路１，２，３と同様であり、ここではそれらの機能に関する説明は省略する。
尚、実施例１の場合、タイミング発生回路２は位置更新タイミング信号を出力させているが、この検出・処理装置ではその信号は不要であり、輝度取り出しゲート信号と垂直同期信号と水平同期信号と基準クロックだけを出力させている。
【００２７】
ＶＢＩＤ分離記憶回路５４では、カウンタ回路５３の各カウント値を用いて、著作権管理情報の付加装置側で付加された著作権管理情報（ＣＧＭＳ−Ａ）と補助信号の付加位置情報とを輝度信号の帰線期間内から抽出し、それら情報をデコードしてそのデータを一旦内蔵メモリに記憶する。
即ち、前記の各情報は、実施例１の図７で説明したように帰線期間内の所定位置にそれぞれ付加されているため、各カウント値と基準クロックを用いて各所定タイミングで各情報の信号を抽出してデコードできる。
ゲート回路５５では、ＶＢＩＤ分離記憶回路５４が抽出・デコードした補助信号の付加位置情報とカウンタ回路５３の各カウント値とを比較し、図１２に示すように、画面内で補助信号が記録されているブロック位置を示す置換用ゲート信号を出力する。
【００２８】
次に、Ｙ−Ｃ分離回路５１が分離した輝度信号は補助信号置換回路５６に入力されており、その補助信号置換回路５６にはゲート回路５５の置換用ゲート信号も入力されている。
ここに、補助信号置換回路５６は遅延回路５６a（１フィールド又は１フレームの遅延）とビデオ信号帯域のスイッチにより構成されており、遅延回路５６aに１フィールド前又は１フレーム前の画像の輝度信号をセーブさせておき、現在の画像の画面内において置換用ゲート信号が示すブロックに付加されている補助信号を、遅延回路５６aにセーブさせた対応ブロックの輝度信号に置換する。
その場合、動画像では１フィールド前又は１フレーム前の画像と現在の画像との相関性は極めて高いため、１フィールド分又は１フレーム分異なっていても本来の画像に与える影響は極めて少ない。
【００２９】
そして、補助信号置換回路５６での処理を経た後の輝度信号はＹ−Ｃ合成回路５７へ出力され、Ｙ−Ｃ合成回路５７において、Ｙ−Ｃ分離回路５１が分離して遅延回路５９で１フレーム期間遅延せしめられた色信号と合成され、最終的にビデオ信号として出力される。
【００３０】
一方、Ｙ−Ｃ分離回路５１が分離した輝度信号は補助信号検出回路５９にも入力されており、補助信号検出回路５９では、図１３に示すように、ゲート回路５５からの置換用ゲート信号を用いて、対応するブロックから補助信号に相当する信号だけを検出して著作権情報判定回路６０へ出力する。
また、図１４に示すように、タイミング発生回路５２から得られる輝度取り出しゲート信号に基づいて、輝度信号以外をマスクして同期信号を含まない純粋な輝度信号が生成され、その信号は所定の時定数を持つ積分回路を通過させた後、比較用の基準値として著作権情報判定回路６０へ出力される。
そして、著作権情報判定回路６０では前記の検出信号と基準値とを比較して補助信号の記録の有無を確認する。
即ち、もし補助信号が記録されていれば、図１５に示すように、前記の検出信号が基準値を大きく上回るため、その記録事実を明確に確認できる。
【００３１】
次に、著作権情報判定回路６０では、前記の著作権管理情報と補助信号の付加位置情報と補助信号とを用いて、図１６に示すような著作権管理と管理情報の改変への対応を行い、ビデオ信号の記録の可否やモニタ信号出力（再生）を判断する。
【００３２】
以下、著作権情報判定回路６０が実行する記録可否に関する制御について具体的に説明する。
（１）著作権管理情報が“１１”（コピー禁止）又は“０１”（１世代コピーでありそれ以上のコピー不可）である場合には厳しい判断を行うことが可能であり、補助信号の付加位置情報や補助信号の有無を問わずに記録は禁止される。
（２）著作権管理情報が“１０”（１度だけコピー可能）である場合には、補助信号の付加位置情報と補助信号が正しく検出されれば信号の改変は行われていないと判断し、著作権管理情報を“０１”（１世代コピーでありそれ以上のコピー不可）に変更した後、記録を許可する。
但し、補助信号の付加位置情報又は補助信号が正常に検出されなかったときには、信号の改変が行われていることになるため、記録は禁止される。
（３）著作権管理情報が“００”（コピー可能）である場合には、補助信号の付加位置情報と補助信号が正常に検出されれば当然に記録が許可されるが、いずれか一方又は双方が正常に検出されないときには、前記（２）と同様に記録は禁止される。
（４）著作権管理情報が無いにも拘らず補助信号の付加位置情報や補助信号が検出された場合は、著作権管理情報を削除する改変が行われていることが明らかであるため、記録は禁止される。
しかし、著作権管理情報、補助信号の付加位置情報、及び補助信号が共に検出されない場合には、著作権の意思表示がないものとみなせるため、記録は許可される。
【００３３】
そして、この実施例の著作権管理情報検出・処理装置では、前記の著作権情報判定回路６０による記録可否の制御と共に、補助信号置換回路５６での処理に基づいて、補助信号の改変に対して次のような耐性を有している。
補助信号の付加位置情報が有り、且つその情報に基づいて補助信号が正しく検出される場合に限って、補助信号は遅延回路５６aにセーブさせた対応ブロックの輝度信号に置換され、補助信号による妨害のない画像を得ることができる。
しかし、著作権管理情報を除去しようとして、補助信号の付加位置情報まで除去してしまうと補助信号の位置を確認できないために前記の置換が正常に行えず、その結果、補助信号による画像ブロックがフレーム画像中を随時移動してゆくような表示状態となり、視聴が著しく妨害されることになる。
また、補助信号によるブロックを表示画面で確認しながら、そのブロックの信号の改変を試みるようなことも推測できるが、その場合には、帰線期間内に残っている補助信号の付加位置情報に対応した位置にあるブロックの信号は補助信号になっていないため、補助信号置換回路５６は出力を停止させる。
従って、そのような場合には視聴が不可能になる。
【００３４】
換言すれば、実施例１の装置によって作成されたアナログビデオ信号を入力信号としてディジタル記録・再生装置で出力（再生）／記録する場合に、そのディジタル記録・再生装置がこの実施例２の装置を適用した正規の装置である場合には、コンテンツを正常に再生して視聴でき、また著作権管理情報で許可されていれば他の記録媒体にコピーすることが可能になるが、この実施例２の装置が適用されていないディジタル記録・再生装置による場合は、いずれにしても補助信号のブロックが画面内を移動する画像になって、コンテンツを正常に視聴することができないことになり、映像コンテンツの違法なコピーを極めて有効に防止できる。
【００３５】
尚、上記の各実施例では入力アナログビデオ信号をコンポジット信号として説明したが、コンポーネント信号である場合には輝度信号を選択的に抽出し、処理後の輝度信号を元に戻せばよく、本発明はコンポジット信号かコンポーネント信号かを問わず適用することができる。
【産業上の利用可能性】
【００３６】
アナログ信号で入力される映像コンテンツがディジタル記録・再生装置で違法に複写されることについて、著作権管理情報（ＣＧＭＳ−Ａ）に併せて、コンテンツの正常な視聴の妨げとなる補助信号とその付加位置情報とを画像信号と帰線期間の信号内に記録することにより、耐性の強い著作権保護システムをディジタル記録・再生装置に組み込むことが可能になる。
【図面の簡単な説明】
【００３７】
【図１】実施例１に係る著作権管理情報の付与装置のブロック回路図である。
【図２】タイミング発生回路のブロック回路図である。
【図３】カウンタ回路による画面の分割領域化を説明するための図である。
【図４】領域検出回路が輝度信号と同期信号を含む信号から輝度信号のみを分離する際の動作を説明するための信号タイミングチャートである。
【図５】領域検出装置が画面上の垂直及び水平方向に係る輝度信号の平均的レベルの最低部分を求める際の動作を説明するための信号タイミングチャートである。
【図６】画面内で輝度信号の平均的レベルが最低となるブロックとＸ，Ｙカウント値との関係を示す図である。
【図７】著作権管理情報と補助信号の付加位置情報とをアナログビデオ信号の帰線期間内の所定位置に記録した状態を示す信号波形図である。
【図８】補助信号の付加位置情報のビット構成図である。
【図９】補助信号が画面内のブロックに付加される態様を示す図である。
【図１０】補助信号の付加態様を示す１垂直同期期間と１水平同期期間の信号波形図である。
【図１１】実施例２に係る著作権管理情報の検出・処理装置のブロック回路図である。
【図１２】ゲート回路が出力する置換用ゲート信号と画面内で補助信号が記録されているブロック位置との関係を示す図である。
【図１３】補助信号検出回路が置換用ゲート信号を用いて対応するブロックから補助信号に相当する信号だけを検出する際の動作を示す信号タイミングチャートである。
【図１４】補助信号検出回路による比較用基準値の検出動作を説明するための信号タイミングチャートである。
【図１５】著作権情報判定回路による補助信号の有無の確認動作を説明するための信号タイミングチャートである。
【図１６】著作権情報判定回路による記録制御動作及び補助信号置換回路での処理内容等を示す表である。
【図１７】特許文献１に開示されているアナログビデオ信号のコピー防止方法を説明するための信号波形図である。
【図１８】特許文献２に開示されているＶＢＩＤ信号に対するコピー防止情報の重畳方法に関して前提となるＶＢＩＤのビット構成図である。
【符号の説明】
【００３８】
１，５１…Ｙ−Ｃ分離回路、２，５２…タイミング発生回路、３，５３…カウンタ回路、４…領域検出回路、５…位置算出回路、６…ＶＢＩＤ付加回路、７…補助信号付加回路、７a…付加パターンＲＯＭ、８，５７…Ｙ−Ｃ合成回路、９…遅延回路、２１…クランプ・レベルスライス回路、２２…垂直・水平同期分離回路、２３…ＰＬＬ回路、２４…ゲート信号生成回路、２５…位置更新タイミング回路、２６…更新時間設定スイッチ、５４…ＶＢＩＤ分離記憶回路、５５…ゲート回路、５６…補助信号置換回路、５６a，５８…遅延回路、５９…補助信号検出回路、６０…著作権情報判定回路。
【図１】
2005244859.tif 000003
【図２】
2005244859.tif 000004
【図３】
2005244859.tif 000005
【図４】
2005244859.tif 000006
【図５】
2005244859.tif 000007
【図６】
2005244859.tif 000008
【図７】
2005244859.tif 000009
【図８】
2005244859.tif 000010
【図９】
2005244859.tif 000011
【図１０】
2005244859.tif 000012
【図１１】
2005244859.tif 000013
【図１２】
2005244859.tif 000014
【図１３】
2005244859.tif 000015
【図１４】
2005244859.tif 000016
【図１５】
2005244859.tif 000017
【図１６】
2005244859.tif 000018
【図１７】
2005244859.tif 000019
【図１８】
2005244859.tif 000020